(57)【要約】【課題】  従来の手作業による梱包作業では、主としてポリプロピレン等の合成樹脂を用いた梱包用テープとストッパーという締め具の二種類の用具を利用し、多大な労力と時間と熟練を必要とし、非効率的な作業であった。さらに、使用後はゴミとなることが多く、そのままでの再利用は不可能に近かった。【解決手段】梱包用テープの長尺方向の上・下の側面をのこぎり歯状とするように歯状部と切り欠き部とを連続して形成し、該歯状部には略十字状の嵌合部を形成し、手で着脱出来リサイクル可能で、かつ、梱包用テープ一種類の用具で梱包作業が出来る梱包用テープ。【選択図】図１
2008189386.tif 000002
【特許請求の範囲】
【請求項１】
梱包用テープの長尺方向の上・下の側面をのこぎり歯状とするように歯状部と切り欠き部とを連続して形成し、該歯状部には以下の式で想定した嵌合溝と導入溝からなる略十字状の嵌合部を一個以上形成したことを特徴とする梱包用テープ。
【数１】
2008189386.tif 000009
【数２】
2008189386.tif 000010
【数３】
2008189386.tif 000011
但し  ａ：梱包用テープの全幅
ｂ：梱包用テープの切り欠き部の幅
ｃ：嵌合溝のテープ幅方向の寸法
ｄ：導入溝のテープ長尺方向の寸法
【請求項２】
所定ピッチ毎に嵌合部を設けたことを特徴とする請求項１記載の梱包用テープ。
【請求項３】
２００ｍｍ毎に嵌合部を設けたことを特徴とする請求項１記載の梱包用テープ。
【請求項４】
略十字状の嵌合部に遊び部を設けたことを特徴とする請求項１から３のいずれか記載の梱包用テープ。
【請求項５】
略十字状の嵌合部周囲に凸部を設けたことを特徴とする請求項１から４のいずれか記載の梱包用テープ。
【請求項６】
梱包用テープの表面又は裏面の少なくともひとつの面に軟質材又は弾性材等を裏打ち又は塗布したことを特徴とする請求項１から５のいずれか記載の梱包用テープ。
【発明の詳細な説明】
【技術分野】
【０００１】本発明は、手作業による梱包作業の作業効率の向上を図る梱包用テープに関するものである。
【背景技術】
【０００２】  従来の梱包用テープには、ポリプロピレン等の合成樹脂を用いて、帯状でかつ表面及び裏面全体を小さな凹凸となるように形成したテープが主流にあり、さらに、別部材としてのポリプロピレン等の合成樹脂より形成したストッパーという締め具の二種類の用具の準備を必要として、梱包作業を行っていた（非特許文献１参照）。
以下、図１１から図１４に示すように、従来の梱包作業内容について説明する。ダンボール箱の梱包を例とすると、左側梱包用テープ（１０１）の一端を折り曲げ輪を作りストッパー（１０３）の穴の中へ入れ、その輪の中へストッパーの左ツメ（１０４）を入れ、輪を作った左側梱包用テープ（１０１）の下部にある長い方の左側梱包用テープ（１０１）を引っ張りストッパーの左ツメ（１０４）を固定し、さらに、もう一方の右側梱包用テープ（１０２）の一端を折り曲げ輪を作りストッパー（１０３）の穴の中へ入れ、その輪の中へもう一個のストッパーの右ツメ（１０５）を入れ、輪を作った上部にある右側梱包用テープ（１０２）を少し引っ張り、ストッパー（１０３）の位置がダンボール箱の中心付近に来るように調整し、梱包用テープがゆるまないように、しっかり引っ張って締め、余った梱包用テープを切り取る。
【非特許文献１】  「株式会社大創産業  製品Ａ−０７３封入袋裏面印刷の使用方法」株式会社大創産業  ２００７年
【発明の開示】
【発明が解決しようとする課題】
【０００３】  そのために、次のような問題点があった。
（イ）常時二種類の用具、特にストッパーの在庫の数量を、気にかけて準備しなければならず、ストッパーの不足により、作業の中断が、たびたび発生し、作業効率が非常に悪かった。
（ロ）上述したように、簡単なダンボール箱のような梱包作業においても、多大な労力と時間を必要とし、さらに、一般の素人の人々においては、使用方法を読みながら作業をしなければならず、大変難しい作業となっていた。
（ハ）梱包作業完了の状態において、梱包用テープの締まり具合は、少しゆるみがちとなることが多かった。
（ニ）梱包用テープを取り外す時に、ハサミ・カツターナイフ等を必ず準備しなければならず、配送のドライバーはハサミ・カツターナイフ等をわすれて、運転席と荷台とを、何回も往復するという、大変な労力と無駄な時間がかかることが、たびたび発生していた。
（ホ）  取り外した梱包用テープは、ハサミ・カツターナイフ等にて切断するため、再利用は難しく、ゴミとなることが多かった。
本発明は、これらの問題点を解決するためになされたものである。
【課題を解決するための手段】
【０００４】  梱包用テープの長尺方向の上・下の側面をのこぎり歯状とするように歯状部と切り欠き部とを連続して形成し、該歯状部には以下の式で想定した嵌合溝と導入溝からなる略十字状の嵌合部を一個以上形成したことを特徴とする梱包用テープ。
【数１】
2008189386.tif 000003
【数２】
2008189386.tif 000004
【数３】
2008189386.tif 000005
但し  ａ：梱包用テープの全幅
ｂ：梱包用テープの切り欠き部の幅
ｃ：嵌合溝のテープ幅方向の寸法
ｄ：導入溝のテープ長尺方向の寸法
【発明の効果】
【０００５】（イ）梱包用テープ自体に、一個以上の嵌合部を形成したため、この梱包用テープだけを準備すれば良く大変効率が良い。
（ロ）梱包用テープを梱包物にグルリと巻きつけ、梱包用テープの先端を、適当な位置の導入溝に挿入し、その先端を引っ張りながら締め付け、ほぼ９０度の角度でひねって嵌合溝に入れ、もう一方の梱包用テープ全体側の一端を切り取り梱包作業完了となる。というように、非常に短時間で梱包作業を完了することが出来、一般の素人の人々でも簡単に出来、多大な省力化に役立つ。
（ハ）梱包用テープの嵌合部は、大きな凸部とはなりにくく、かつ、柔軟性がある合成樹脂材等を使用すれば、梱包物同士の接触による荷物事故の減少につながり、嵌合部の位置をわざわざ中心付近に調整する必要がなくなった。
（ニ）梱包用テープの締め具合は強力になり、ゆるみにくくなった。
（ホ）梱包用テープを取り外す時に、手で楽に外すことが出来るようになり、ハサミ・カツターナイフ等を準備する必要がなくなった。そのため、配送のドライバーはハサミ・カツターナイフ等をわすれて、運転席と荷台とを、何回も往復するという、大変な労力と無駄な時間の解消に大変な効果があった。
（ヘ）取り外した梱包用テープは、ゴミに出さず、長短不問にて何本でも連結することが出来るため、直径１０ｍｍから無限大まで、梱包出来繰り返し再利用が可能となり、輪ゴムと同じような考え方で保管出来、ゴミの減量化に貢献出来る。
【発明を実施するための最良の形態】
【０００６】以下、本発明の実施の形態について説明する。
（イ）合成樹脂等で形成された幅広の梱包用テープ（１）の長尺方向の上・下の側面に、歯の一方に傾斜を持つのこぎり歯状の歯状部（２）と、切り欠き部（３）とを連続して形成する。
（ロ）歯状部（２）には、以下の式で想定した梱包用テープ（１）を挿入出来る導入溝（５）と、前記歯状部（２）の結合部（８）がひっかかり梱包用テープ（１）が抜けることを防ぐ嵌合溝（６）からなる略十字状の嵌合部（４）を所定のピッチ毎に一個以上形成する。
【数１】
2008189386.tif 000006
【数２】
2008189386.tif 000007
【数３】
2008189386.tif 000008
但し  ａ：梱包用テープの全幅
ｂ：梱包用テープの切り欠き部の幅
ｃ：嵌合溝のテープ幅方向の寸法
ｄ：導入溝のテープ長尺方向の寸法
（ハ）２００ｍｍ毎に嵌合部（４）を形成しても良い。
（ニ）導入溝（５）と嵌合溝（６）の交差する交差部（７）に、ほぼ４５度の角度となるように遊び部（１２）を形成しても良い。
（ホ）前記、交差部（７）には遊び部（１２）の変わりに切れ込み部（１１）を、形成しても良い。
（ヘ）嵌合溝（６）の左側と右側の上・下に凸部（９）を形成しても良い。
（ト）前記、凸部（９）の変わりに、導入溝（５）の周囲を囲むような、ていてつ型凸部（１０）を形成しても良い。
（チ）梱包用テープ（１）の表面又は、裏面の少なくともひとつの面を軟質材又は、弾性材（１３）等を裏打ち、又は塗布しても良い。
本発明は、以上のような構成で、これを使用するときについて説明する。
（イ）梱包用テープ（１）を、梱包物にグルリと巻きつけ、先端を導入溝（５）に挿入し、その先端を引っ張りながら、もう一方の梱包用テープ（１）を引っ張って、梱包物を強く締め付け締まった所で、先端側の切り欠き部（３）と嵌合溝（６）が一致した位置にて、ほぼ９０度の角度でひねって切り欠き部（３）を嵌合溝（６）に嵌め込み、余った梱包用テープ（１）を切り取り、梱包作業完了となる。
（ロ）２００ｍｍ毎に嵌合部（４）を形成すると、直径１０ｍｍから無限大まで、梱包出来る。
（ハ）図４に示すように、梱包用テープ（１）の厚みが厚いときには、導入溝（５）と嵌合溝（６）の交差する、交差部（７）にほぼ４５度の角度となるように、遊び部（１２）形成するとひねり易くなる。
（ニ）図５に示すように、梱包用テープ（１）の厚みが厚いときには、導入溝（５）と嵌合溝（６）の交差する、交差部（７）に切れ込み部（１１）を形成するとひねり易くなる。
（ホ）図６に示すように、嵌合溝（６）の左側と右側の上・下に凸部（９）を形成すると、切り欠き部（３）の結合部（８）と凸部（９）が接触し、はずれにくくなりより強力に固縛出来る。
（ヘ）図７に示すように、導入溝（５）の周囲を囲むように、ていてつ型凸部（１０）を形成すると、導入溝（５）へ梱包用テープ（１）の先端を挿入し、引っ張るときに梱包用テープ（１）の強度が増し、耐久性・リサイクル性が増大する。
（ト）図８に示すように、梱包用テープ（１）の表面又は、裏面の少なくともひとつの面を軟質材又は、弾性材（１３）等を裏打ち、又は塗布すると摩擦が大きくなり、より強力に締め付け作業が出来、ゆるみにくくなる。
【図面の簡単な説明】
【０００７】
【図１】  本発明の梱包用テープの実施形態例の全体図
【図２】  本発明の梱包用テープの部分図
【図３】  本発明の梱包用テープの結合状態概念図
【図４】  本発明の梱包用テープの厚みが大きい時の遊び部の部分図
【図５】  本発明の梱包用テープの厚みが大きい時の交差部の部分図
【図６】  本発明の梱包用テープの凸部の部分図
【図７】  本発明の梱包用テープのていてつ型凸部の部分図
【図８】  本発明の梱包用テープの弾性材塗布の一部側面図
【図９】  本発明の梱包用テープの巻き荷姿全体斜視図
【図１０】  本発明の梱包用テープの実施形態例の一部斜視図
【図１１】  従来の梱包用テープの使用方法順１の斜視図
【図１２】  従来の梱包用テープの使用方法順２の斜視図
【図１３】  従来の梱包用テープの使用方法順３の斜視図
【図１４】  従来の梱包用テープの梱包完成斜視図
【符号の説明】
【０００８】１  梱包用テープ
２  歯状部
３  切り欠き部
４  嵌合部
５  導入溝
６  嵌合溝
７  交差部
８  結合部
９  凸部
１０  ていてつ型凸部
１１  切れ込み部
１２  遊び部
１３  弾性材
１４  ドラム
１５  芯穴
１０１  左側梱包用テープ
１０２  右側梱包用テープ
１０３  ストッパー
１０４  ストッパーの左ツメ
１０５  ストッパーの右ツメ
【図１】
2008189386.tif 000012
【図２】
2008189386.tif 000013
【図３】
2008189386.tif 000014
【図４】
2008189386.tif 000015
【図５】
2008189386.tif 000016
【図６】
2008189386.tif 000017
【図７】
2008189386.tif 000018
【図８】
2008189386.tif 000019
【図９】
2008189386.tif 000020
【図１０】
2008189386.tif 000021
【図１１】
2008189386.tif 000022
【図１２】
2008189386.tif 000023
【図１３】
2008189386.tif 000024
【図１４】
2008189386.tif 000025